(57)【要約】【課題】  装置内部の処理時と、外部出力時とで、別々のファイル名を付与することが可能な、ファイル名の管理方法を提供する。【解決手段】  開示されるファイル名の管理方法は、装置内部の処理時には、装置内の記憶領域１における第１のファイル名「００１」によって認識されている実データを、装置から外部に出力する際には、装置内における記憶領域２に保持されている実データに対応する第２のファイル名「サンプル」を、第１のファイル名と第２のファイル名との対応を示す固有の情報によって識別するとともに、第２のファイル名と、実データが持つ固有の情報（例えばｊｐｇ形式の画像データ）に応じて識別された名称とに応じて定められた新たなファイル名「サンプル・ｊｐｇ」によって出力するものである。【選択図】図１
2005038327.tif 000002
【特許請求の範囲】
【請求項１】
装置内部の処理時には、該装置内の第１の記憶手段における第１のファイル名によって認識されている実データを、前記装置から外部に出力する際には、該装置内における第２の記憶手段に保持されている前記実データに対応する第２のファイル名を、前記第１のファイル名と第２のファイル名との対応を示す固有の情報によって識別するとともに、前記第２のファイル名と、前記実データが持つ固有の情報に応じて識別された名称とに応じて定められた新たなファイル名によって出力することを特徴とするファイル名の管理方法。
【請求項２】
前記第１のファイル名と第２のファイル名との対応を示す固有の情報と、前記実データが持つ固有の情報とが、前記第１のファイル名の実データのヘッダ情報として保持されていることを特徴とする請求項１記載のファイル名の管理方法。
【請求項３】
前記第１のファイル名と第２のファイル名との対応を示す固有の情報と、前記実データが持つ固有の情報とが、前記装置内の第３の記憶手段に保持されていることを特徴とする請求項１記載のファイル名の管理方法。
【請求項４】
前記第１の記憶手段と第２の記憶手段とが、前記装置内の同一のメモリ領域に存在するることを特徴とする請求項１乃至３のいずれか一記載のファイル名の管理方法。
【請求項５】
前記第１の記憶手段と第２の記憶手段とが、前記装置内のそれぞれ異なるメモリ領域に存在することを特徴とする請求項１乃至３のいずれか一記載のファイル名の管理方法。
【請求項６】
前記第３の記憶手段が、前記装置内の前記第１の記憶手段及び／又は第２の記憶手段と同一のメモリ領域又はこれらと異なるメモリ領域に存在することを特徴とする請求項１乃至５のいずれか一請求項１記載のファイル名の管理方法。
【請求項７】
前記第１のファイル名の実データが、前記装置内において、通し番号や任意の法則によって管理されていることを特徴とする請求項１乃至６のいずれか一記載のファイル名野管理方法。
【請求項８】
前記第２のファイル名が、前記第２の記憶手段内において散在し、又はテーブル管理されていることを特徴とする請求項１乃至７請求項１記載のファイル名の管理方法。
【請求項９】
装置内部の処理時に第１のファイル名によって認識される実データを保持する第１の記憶手段と、前記実データに対応する任意のファイル名を保持する第２の記憶手段と、前記実データのヘッダ部に保持されている、前記第１のファイル名と第２のファイル名との対応を示す固有の情報と前記実データが持つ固有の情報とに応じて前記実データを識別することによって、前記第２のファイル名と前記実データが持つ固有の情報とを認識して新たなファイル名を決定する情報識別手段と、前記決定された新たなファイル名によって前記実データを外部出力する出力手段とを備えたことを特徴とするファイル名管理システム。
【請求項１０】
装置内部の処理時に第１のファイル名によって認識される実データを保持する第１の記憶手段と、前記実データに対応する任意のファイル名を保持する第２の記憶手段と、前記第１のファイル名と第２のファイル名との対応を示す固有の情報と前記実データが持つ固有の情報とを保持する第３の記憶手段と、該第３の記憶手段の情報に応じて前記実データを識別して新たなファイル名を決定する情報識別手段と、前記決定された新たなファイル名によって前記実データを外部出力する出力手段とを備えたことを特徴とするファイル名管理システム。
【発明の詳細な説明】
【技術分野】
【０００１】
この発明は、携帯電話装置等において、ファイルデータを出力する際に、装置内のファイル名とは異なる、わかりやすく記憶しやすい別のファイル名を付して出力することが可能な、ファイル名の管理方法およびシステムに関する。
【背景技術】
【０００２】
近年における、携帯電話装置の進歩に伴って、携帯電話装置の取り扱うデータの種類は多様化している。特に、メール情報や、カメラ機能を用いて撮影した画像等は、携帯電話装置の内部に蓄積されるだけでなく、そのまま、または画像をメールに添付して送信したり、あるいは、ケーブルを介して直接、パソコン（ＰＣ）等の端末へ転送したりされることが多くなった。これらの場合のデータのファイル名としては、一般に、そのファイルの作成時刻等を示す英数字の羅列が、ファイル名として用いられることが少なくない。
【０００３】
例えば特許文献１においては、第１のファイル装置と第２のファイル装置とが、同じデータ構造を有する作表ファイルを持つことによって、そのいずれか一方又は双方でデータ更新が行われた場合に、簡単な操作で、更新したデータを双方のファイルに反映できるようにすることが記載されているが、この場合におけるデータのファイル名としては、いずれの側においても、英数字の羅列が用いられている（特許文献１参照）。
【０００４】
また、特許文献２においては、一つのファイルに対して、ユーザが登録するユーザ用ファイル名と、ファイルシステムがファイルの生成や書き込み，読み出し等のファイル操作を行うために使用するシステム用フレーム名とを付与する場合に、システム用ファイル名としては、ファイル登録時の時刻情報を使用することによって、同じファイル名の存在を防止すること記載されているが、この場合にも、データのファイル名としては、英数字の羅列が用いられている（特許文献２参照）。
【０００５】
しかしながら、ユーザサイドから見ると、ファイル名が、意味のない英数字の羅列であることは、特徴がなく、記憶しにくい。そこで、わかりやすく覚えやすい別の名称を付したいという希望が生じるが、一方、携帯電話装置内部の処理からは、ファイル名は英数字の羅列であった方が管理しやすいという事情もあって、従来、別のファイル名を付するという方法は、実現されてはいなかった。
【０００６】
【特許文献１】特開２０００−７６１１３号公報（「００１０」，図４）
【特許文献２】特開平１０−２１１３０号公報（「００３０」，「００３１」）
【発明の開示】
【発明が解決しようとする課題】
【０００７】
この発明は上述の事情に鑑みてなされたものであって、携帯電話装置等において、ファイル名として、従来の英数字の羅列からなるファイル名の他に、分かりやすく記憶しやすい別のファイル名を付加することが可能であるとともに、この際における携帯電話装置内部の処理が容易な、ファイル名の管理方法及びシステムを提供することを目的としている。
【課題を解決するための手段】
【０００８】
上記課題を解決するため、請求項１記載の発明はファイル名の管理方法に係り、装置内部の処理時には、該装置内の第１の記憶手段における第１のファイル名によって認識されている実データを、前記装置から外部に出力する際には、該装置内における第２の記憶手段に保持されている前記実データに対応する第２のファイル名を、前記第１のファイル名と第２のファイル名との対応を示す固有の情報によって識別するとともに、前記第２のファイル名と、前記実データが持つ固有の情報に応じて識別された名称とに応じて定められた新たなファイル名によって出力することを特徴としている。
【０００９】
また、請求項２記載の発明は、請求項１記載のファイル名の管理方法に係り、前記第１のファイル名と第２のファイル名との対応を示す固有の情報と、前記実データが持つ固有の情報とが、前記第１のファイル名の実データのヘッダ情報として保持されていることを特徴としている。
【００１０】
また、請求項３記載の発明は、請求項１記載のファイル名の管理方法に係り、前記第１のファイル名と第２のファイル名との対応を示す固有の情報と、前記実データが持つ固有の情報とが、前記装置内の第３の記憶手段に保持されていることを特徴としている。
【００１１】
また、請求項４記載の発明は、請求項１乃至３のいずれか一記載のファイル名の管理方法に係り、前記第１の記憶手段と第２の記憶手段とが、前記装置内の同一のメモリ領域に存在するることを特徴としている。
【００１２】
また、請求項５記載の発明は、請求項１乃至３のいずれか一記載のファイル名の管理方法に係り、前記第１の記憶手段と第２の記憶手段とが、前記装置内のそれぞれ異なるメモリ領域に存在することを特徴としている。
【００１３】
また、請求項６記載の発明は、請求項１乃至５のいずれか一記載のファイル名の管理方法に係り、前記第３の記憶手段が、前記装置内の前記第１の記憶手段及び／又は第２の記憶手段と同一のメモリ領域又はこれらと異なるメモリ領域に存在することを特徴としている。
【００１４】
また、請求項７記載の発明は、請求項１乃至６のいずれか一記載のファイル名の管理方法に係り、前記第１のファイル名の実データが、前記装置内において、通し番号や任意の法則によって管理されていることを特徴としている。
【００１５】
また、請求項８記載の発明は、請求項１乃至７のいずれか一記載のファイル名の管理方法に係り、前記第２のファイル名が、前記第２の記憶手段内において散在し、又はテーブル管理されていることを特徴としている。
【００１６】
また、請求項９記載の発明は、ファイル名管理システムに係り、装置内部の処理時に第１のファイル名によって認識される実データを保持する第１の記憶手段と、前記実データに対応する任意のファイル名を保持する第２の記憶手段と、前記実データのヘッダ部に保持されている、前記第１のファイル名と第２のファイル名との対応を示す固有の情報と前記実データが持つ固有の情報とに応じて前記実データを識別することによって、前記第２のファイル名と前記実データが持つ固有の情報とを認識して新たなファイル名を決定する情報識別手段と、前記決定された新たなファイル名によって前記実データを外部出力する出力手段とを備えたことを特徴としている。
【００１７】
また、請求項１０記載の発明は、ファイル名管理システムに係り、装置内部の処理時に第１のファイル名によって認識される実データを保持する第１の記憶手段と、前記実データに対応する任意のファイル名を保持する第２の記憶手段と、前記第１のファイル名と第２のファイル名との対応を示す固有の情報と前記実データが持つ固有の情報とを保持する第３の記憶手段と、該第３の記憶手段の情報に応じて前記実データを識別して新たなファイル名を決定する情報識別手段と、前記決定された新たなファイル名によって前記実データを外部出力する出力手段とを備えたことを特徴としている。
【発明の効果】
【００１８】
本発明のファイル名の管理方法によれば、データに対して、携帯電話装置内部においては、英数字の羅列等からなる、自由なファイル名を使用できるので、装置内における処理を容易になり、例えば通し番号等を用いた場合には、全データ転送時等におけるループ処理が可能になるとともに、ファイルの登録件数の確認が容易になる。そして、データが外部に出力される際には、別の任意のファイル名と固有の情報名とを用いることができるので、ユーザが容易に認識できるようになる。さらに、携帯電話装置内部のファイル名によって、それぞれのファイルの識別を行うので、外部から同名のファイルが転送された場合にも、問題なくデータを共有することが可能になる。
【発明を実施するための最良の形態】
【００１９】
本発明では、データのファイル名として、装置内では従来の英数字の羅列からなるファイル名を用い、外部にデータを出力するときは、分かりやすく記憶しやすい別のファイル名を付与することによって、ユーザが容易に認識できるようにす。
【実施例】
【００２０】
以下、図面を参照して、この発明の実施の形態について説明する。説明は、実施例を用いて具体的に行う。図１は、本発明の一実施例のファイル名の管理方法を示すイメージ図、図２は、本発明のファイル名の管理方法を適用したファイル名管理システムの構成例を示す図、図３は、本発明のファイル名の管理方法を適用したファイル名管理システムの他の構成例を示す図である。
【００２１】
図１は、この例のファイル名の管理方法を携帯電話装置に適用した場合を例示したものであって、携帯電話装置のメモリ領域１１と、出力端末のメモリ領域２１とが示されている。メモリ領域１１には、例えば通し番号「００１」や任意の法則で管理されている実データを記憶する第１の記憶領域１と、ファイル名「サンプル」のように散在し、あるいはテーブル管理された任意のファイル名のデータを記憶する第２の記憶領域２とを有するとともに、場合によっては、記憶領域１のデータや記憶領域２のデータとは別に、実データが持っている属性やサイズ等の固有の情報を記憶している。
【００２２】
以下、図１を参照して、この例のファイル名の管理方法を説明する。携帯電話装置内では、実データは、記憶領域１における「００１」というファイル名で認識されている。しかし、このデータを携帯電話装置の外部へ転送しようとするときは、外部ではそのままのファイル名ではわかりにくいので、ファイル名「００１」のデータは、記憶領域１にあるファイル名と記憶領域２のファイル名との対応を示す固有の情報に基づいて、記憶領域２に別途用意されているファイル名「サンプル」を用いるとともに、記憶領域１にある実データの属性やサイズ等のような、そのデータが持つ固有の情報（例えばｊｐｇ（Joint Photographic Coding Experts Group ）形式の画像データ）による携帯電話装置側での識別に基づいて付与された名称「ｊｐｇ」とを用いて、「サンプル・ｊｐｇ」というファイル名を付与され、外部出力されて、出力端末のメモリ領域２１に記憶される。
【００２３】
なお、上述したような、ファイルを外部へ転送する場合としては、携帯電話装置からデータを、例えばＵＳＢ等のケーブルを介してパソコンやプリンタへ出力する場合、あるいはデータを、ＳＤカード，メモリスティックの記録用メディアに出力して記録する場合等がこれに該当する。
【００２４】
図２は、この場合のファイル名管理システムの構成例を示したものであって、携帯電話装置１００における、メモリ領域１１と、情報識別部１２と、入／出力部１３と、制御部１４とからなる概略構成が示されている。
メモリ領域１１は、例えば通し番号や任意の法則で管理されている実データを記憶する第１の記憶領域１と、散在し、あるいはテーブル管理された任意のファイル名のデータを記憶する第２の記憶領域２とからなっている。情報識別部１２は、記憶領域１の実データを、実データのファイルのヘッダ部にある情報を用いて識別して、外部出力用のファイル名を決定する。入／出力部１３は、携帯電話装置１００に対する外部データの入出力を制御する。制御部１４は、ファイル名の管理を含む携帯電話装置１００の全体の動作を制御する。
【００２５】
以下、図２に示されたファイル名管理システムの動作例を説明する。携帯電話装置内において、記憶領域１におけるファイル名「００１」で認識されている実データを、外部の出力端末２００に出力しようとする場合には、情報識別部１２は、その実データを、ファイル名「００１」のデータのヘッダ部に記憶されている固有情報を用いて、記憶領域１のファイル名と記憶領域２のファイル名との対応を示す固有の情報と、実データが持つ属性やサイズ等の固有の情報とによって識別する。そして識別結果、ファイル名「００１」のデータが、ｊｐｇ形式の画像データからなるものであり、また、実データのファイル名「００１」がファイル名「サンプル」に対応するものであったときは、情報識別部１２は、この実データに対応するファイル名「サンプル」と、実データが持つ固有情報名とを用いて、外部出力のためのファイル名「サンプル・ｊｐｇ」を決定する。
【００２６】
入／出力部１３は、決定された外部出力のためのファイル名「サンプル・ｊｐｇ」によって、ファイル名「００１」の実データの内容を出力端末２００に対して出力し、これによって、出力端末２００は、ファイル名「サンプル・ｊｐｇ」によって、転送されたデータをメモリ領域２１に記憶する。制御部１４は、ＣＰＵ（Central Processing Unit ）を有し、記憶されているプログラムに基づいて、上述のファイル名管理の処理を行うとともに、携帯電話装置１００の全体の動作を制御する。
【００２７】
図３は、この場合のファイル名管理システムの他の構成例を示したものであって、携帯電話装置１００Ａにおける、メモリ領域１１Ａと、情報識別部１２Ａと、入／出力部１３と、制御部１４とからなる概略構成が示されている。これらのうち、図２に示された構成例と同じ符号の構成部は同じ機能を有しているので、以下においてはこれらについての詳細な説明を省略する。
【００２８】
メモリ領域１１Ａは、例えば通し番号や任意の法則で管理されている実データを記憶する第１の記憶領域１Ａと、散在し、あるいはテーブル管理された任意のファイル名のデータを記憶する第２の記憶領域２の他に、記憶領域１のファイル名と記憶領域２のファイル名との固有の対応関係と、実データが有する属性やサイズ等の固有の情報とを記憶する固有情報記憶部３とからなっている。情報識別部１２Ａは、記憶領域１Ａの実データを、固有情報記憶部３における固有の情報を用いて識別して、外部出力用のファイル名を決定する。
【００２９】
以下、図３に示されたファイル名管理システムの動作例を説明する。携帯電話装置内において、記憶領域１におけるファイル名「００１」で認識されている実データを、外部の出力端末２００に出力しようとする場合には、情報識別部１２Ａは、ファイル名「００１」の実データを、固有情報記憶部３に記憶されている固有情報を用いて、記憶領域１のファイル名と記憶領域２のファイル名との対応を示す固有の情報と、実データが持つ属性やサイズ等の固有の情報とによって識別する。そして識別結果、ファイル名「００１」のデータが、ｊｐｇ形式の画像データからなるものであり、また、実データのファイル名「００１」がファイル名「サンプル」に対応するものであったときは、情報識別部１２Ａは、の実データに対応するファイル名「サンプル」と、実データが持つ固有情報名とを用いて、外部出力のためのファイル名「サンプル・ｊｐｇ」を決定する。これ以外の動作は、図２に示されたファイル名管理システムの場合と同様である。
【００３０】
次に、この例のファイル名の管理システムの場合における、全データ転送時等におけるループ処理について説明する。いま、例えば、メモリにおけるファイルの登録件数をカウントする場合を考えると、ファイル名称に特に決まりがなければ、次の動作をすべてのファイル名について繰り返して行う必要がある。
(1)ファイル名を入力する。
(2)ファイルの有無を確認する。
(3)ファイルがある場合にはカウントする。
【００３１】
しかしながら、この例のファイル名の管理システムのように、ファイル名を例えば通し番号で管理すれば、ファイル名の登録管理がソース上単純な "ｆｏｒ”のループ文を用いて、順次、昇順または降順にファイルの有無を確認するだけで済むので、その都度ファイル名を登録する手間が省けることになり、従って、ファイルの登録件数の確認が容易になる。
【００３２】
以上、この発明の実施例を図面により詳述してきたが、具体的な構成はこの実施例に限られたものではなく、この発明の要旨を逸脱しない範囲の設計の変更等があってもこの発明に含まれる。例えば、図１における、第１の記憶領域１（または１Ａ）と第２の記憶領域２とは、同一のメモリ領域１１内に存在する場合に限らず、それぞれ別個のメモリ領域に存在してもよい。また、固有情報記憶部３も、メモリ領域１１Ａに存在する場合に限らず、第１の記憶領域及び／又は第２の記憶領域と同一のメモリ領域又はこれらと異なる他のメモリ領域に存在してもよい。また、実施例に示されたファイルの種類を識別する固有の情報を、内部のファイル名または関連したデータ（外部出力時のファイル名を含む）に持たせることによって、異種類である複数のデータが携帯電話装置内部において混在するようにしてもよい。また、携帯電話装置内部のファイル名によって、それぞれの識別を行うことによって、同名のファイルが外部から転送された場合でも、データを共有することが可能である。なお、実施例においては、携帯電話装置の場合について述べたが、これに限るものでなく、任意の情報処理装置等から外部端末等にデータの転送を行う場合にも適用できるものであることはいうまでもない。
【図面の簡単な説明】
【００３３】
【図１】本発明の一実施例のファイル名の管理方法を示すイメージ図である。
【図２】本発明のファイル名の管理方法を適用したファイル名管理システムの構成例を示す図である。
【図３】本発明のファイル名の管理方法を適用したファイル名管理システムの他の構成例を示す図である。
【符号の説明】
【００３４】
１１，１１Ａ      メモリ領域
１，１Ａ      第１の記憶領域（第１の記憶手段）
２    第２の記憶領域（第２の記憶手段）
３    第３の記憶領域（第３の記憶手段）
１２，１２Ａ    情報識別部（情報識別手段）
１３    入／出力部（出力手段）
【図１】
2005038327.tif 000003
【図２】
2005038327.tif 000004
【図３】
2005038327.tif 000005